(57)【特許請求の範囲】
【請求項１】
基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する可搬式堤防の前記支柱において、
支柱の外側面に、前記穴部周辺の基礎上面に係合するストッパー片が設けられているとともに、
このストッパー片の下側の前記穴部に差し込まれる支柱の下部領域であって支柱が穴部に差し込まれた状態で穴部の上端に面する支柱の表面に沿って、穴部内面と支柱表面との隙間を塞ぐための弾性材が固着された構成を有することを特徴とする可搬式堤防用の支柱。
【請求項２】
支柱は、複数の断面略コ字形の鋼製枠材を互いに長手方向を平行に揃えて接合し且つ接合部分を溶接により一体に固定するとともに、前記枠材の穴部に差し込まれる側の端部であって穴部に差し込まれた状態で基礎の上面に面する位置に、枠材内部の空隙を上下に隔てる仕切り板を設けた構成を有する請求項１に記載の可搬式堤防用の支柱。
【請求項３】
基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する可搬式堤防の前記支柱において、
支柱は、複数の断面略コ字形の鋼製枠材を互いに長手方向を平行に揃えて接合し且つ接合部分を溶接により一体に固定し、前記枠材の穴部に差し込まれる側の端部であって穴部に差し込まれた状態で基礎の上面に面する位置に、枠材内部の空隙を上下に隔てる仕切り板を設けて形成されているとともに、
前記穴部に差し込まれる支柱の下部領域であって支柱が穴部に差し込まれた状態で穴部の上端に面する支柱の表面に沿って、穴部内面と支柱表面との隙間を塞ぐための弾性材が固着された構成を有することを特徴とする可搬式堤防用の支柱。
【請求項４】
支柱が穴部に差し込まれた状態で穴部の上端に面する支柱の表面全周に弾性材が固着された構成を有する請求項１〜３の何れかに記載の可搬式堤防用の支柱。
【請求項５】
枠材内部の空隙を上下に隔てる仕切り板に代えて、穴部に差し込まれた状態で基礎の上面に面する位置から下側の枠材の内側部分に合成樹脂材が充填された構成を有する請求項２〜４の何れかに記載の可搬式堤防用の支柱。
【請求項６】
基礎の上面に形成された穴部に着脱自在な請求項１〜５の何れかに記載の複数の支柱と、基礎上に立て並べた支柱の間で支持される壁面パネルとを具備した構成を有する可搬式堤防。
【発明の詳細な説明】
【技術分野】
【０００１】
本発明は、大雨に伴う河川の洪水により越水の危険性が高い堤防や、浸水の虞のある都市部の建物や地下の出入口などに設置して止水壁を構成する可搬式堤防に係り、止水性能を高める改良が施された可搬式堤防の支柱の構造に関する。
【背景技術】
【０００２】
従来の可搬式堤防として、例えば図１５に示されるように、河川敷などの平坦な基礎１０１の上面に所定の間隔を開けて複数の差込用の穴部１０２を設けておき、大雨により河川からの越水が予想されるときに、穴部１０２に支柱１０３を差し込んで立て並べ、壁面パネル１０４を支柱１０３，１０３の間に嵌め込んで支持させることにより、緊急用の止水壁を基礎１０１上に形成する構成のものが知られている（例えば特許文献１，２及び３参照）。
【先行技術文献】
【特許文献】
【０００３】
【特許文献１】実用新案登録第３１６６８２２号公報
【特許文献２】特許第４８９８９７３号公報
【特許文献３】特開２０１３−２３８１４号公報
【発明の開示】
【発明が解決しようとする課題】
【０００４】
可搬式堤防は、天候が急変したときに短時間で緊急に設置しなければならないことが多い。図示した可搬式堤防１００のように、基礎１０１に設けた穴部１０２に支柱１０３を差し込んで立て並べる場合に、穴部１０２の内形寸法を支柱１０３の外形寸法に対して若干大きめ形成しておけば、穴部１０２への支柱１０３の差し込み操作を簡易に行うことが可能である。
【０００５】
しかし、図１６に示されるように、穴部１０２の内面と支柱１０３の表面との間の隙間Ｃが大きいと、支柱１０３の差し込み操作が容易となる反面、この隙間Ｃを通じて水Ｗが漏れ出てしまい、止水性が確保できないという問題がある。
一方、穴部１０２を、その内面に支柱１０３の表面が圧密に嵌合する大きさに設ければ、穴部１０２に支柱１０３を差し込んだ部分の止水性は高まるが、穴部１０２の内面と支柱１０３の表面との間の隙間Ｃが小さすぎると、穴部１０２に支柱１０３を差し込み難くなって支柱１０３の取り付け作業に手間を要することになる。
日中の気温が高い夏季に支柱１０３が熱膨張していたり、支柱１０３を取り扱う過程でその下端部を鉄製の扉や棚にぶつけるなどして表面に小さな凸凹ができていたりすると、支柱１０３が穴部１０２に嵌らなくなって可搬式堤防１００を設置できなくなる事態も生じ兼ねない。
【０００６】
本発明は従来技術の有するこのような問題点に鑑み、基礎に可搬式堤防を設置するにあたり、基礎に設けた穴部に支柱を簡易な操作で確実且つ迅速に差し込んで立て並べることができ、且つ穴部に支柱を差し込んだ部分の止水性を高めてこの部分からの漏水を確実に防止することを課題とする。
【課題を解決するための手段】
【０００７】
前記課題を解決するため本発明は、基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより止水壁を形成する可搬式堤防の前記支柱において、前記穴部に差し込まれる支柱の下部領域であって支柱が穴部に差し込まれた状態で穴部の上端に面する支柱の表面に沿って、穴部内面と支柱表面との隙間を塞ぐための弾性材が固着された構成を有することを特徴とする。
【０００８】
これによれば、支柱を穴部に差し込んで支柱の下部領域を穴部に嵌合させることにより、基礎の上面に支柱を立てることができる。支柱を穴部に差し込んだ状態で、支柱の下部領域の表面に固着した弾性材が、自身の弾性により支柱の表面と穴部の内面との間に収縮して圧入するため、支柱の表面と穴部の内面とに密着する弾性材によって、穴部上端における穴部内面と支柱表面との間の隙間が完全に塞がれ、穴部に支柱を差し込んだ部分の止水性を高めることができる。可搬式堤防を基礎上に設置したときに、穴部と支柱との隙間は弾性材により完全に閉鎖されるので、水が前記隙間を通って漏れるようなことはない。
また、穴部に支柱を差し込んだときに、支柱の表面に固着した弾性材により穴部内面と支柱表面の間の隙間が塞がれるように設けることで、穴部を支柱の差し込み操作に支障が生じない程度の大きさ、つまり、穴部の内形寸法を支柱の外形寸法に対して若干大きめに設定して形成することができ、これにより穴部への支柱の差し込み操作の容易性が担保され、可搬式堤防を設置する際の作業性を良好にすることができる。
【０００９】
前記構成の支柱において、弾性材は、支柱の外形状、これが差し込まれる穴部内面の大きさや形状などに応じ、支柱が穴部に差し込まれた状態で穴部内面と支柱表面との隙間を塞ぐ適宜な位置、換言すれば穴部に支柱を差し込んだときに穴部内面と支柱表面と間で隙間ができる位置に沿って固着することができる。
例えば支柱の断面が正方形で、穴部が支柱よりも若干大寸の正方形に開口したものである場合に、弾性材が固着されていない支柱を穴部に差し込んだ状態で、支柱の全周に穴部内面との隙間ができるときは支柱の四側面の全周に亘って弾性材を巻き付けて固着し、支柱の四側面の内の一面のみ又は対向二面にのみ隙間ができるときには支柱の一面又は対向二面に弾性材を固着し、或いは支柱の四側面の内の一面には穴部内面との隙間はできないが他の三面には隙間ができるときには支柱の四側面の内の三面に弾性材を固着することにより、差し込んだ支柱表面と穴部内面との隙間を確実に塞ぐことができる。
また、前記構成の支柱において、支柱の外側面に穴部周辺の基礎上面に係合するストッパー片を設けるとともに、この突片の下側に弾性材を固着して形成することができる。
弾性材は、厚さ方向に収縮可能なゴム材や合成樹脂材などの弾性を有する適宜な材質のもの用いることができる。支柱表面と穴部内面との隙間を確実に塞ぐため、弾性材は適宜な厚み、幅及び長さに形成されたものを、支柱の表面周方向に沿って帯状に固着することが好ましい。
【００１０】
前記構成の支柱は、必要な剛性を備えつつ軽量で容易に持ち運びができるように、断面略コ字形の鋼製枠材を用いて形成されていることが好ましい。
支柱の周側部に沿って壁面パネルを平行に又は交差状に取り付けて支持させる場合の支柱は、複数の断面略コ字形の鋼製枠材を互いに長手方向を平行に揃えて接合し且つ接合部分を溶接により一体に固定して形成することができる。例えば支柱の両側で壁面パネルを平行に支持させる場合は、一対の断面略コ字形の一対の鋼製枠材を互いに背面側を向き合わせて接合し且つ接合した背面側同士を溶接により一体に固定して形成することができる。
この場合、略コ字形の枠材内部は空隙であり、そのままでは、支柱を穴部に差し込んだ状態で、穴部に浸入した水が支柱内部の空隙を通って漏れ出てしまうことから、水が枠材内部を流れないようにする手段、例えば枠材の穴部に差し込まれる側の端部であって支柱が穴部に差し込まれた状態で基礎の上面に面する位置に、枠材内部の空隙を上下に隔てる仕切り部材を設けるなどの止水手段を講じる必要がある。
仕切り板は、例えば枠材内部の空隙を上下に仕切る形状の鋼製の板材を、前記所定の位置の枠材内部に水平に位置を合わせて接合し、接合部分を溶接により一体に固定して設置することができる。
枠材内部の空隙を上下に隔てる仕切り板に代えて、水が枠材内部を流れないようにする手段として、穴部に差し込まれた状態で基礎の上面に面する位置から下側の枠材の内側部分に合成樹脂材を充填してもよい。合成樹脂材は、前記基礎の上面に面する位置から下側に向けて適宜な幅で充填されていればよく、また、支柱が穴部に差し込まれる幅の分だけ充填してもよい。枠材の内部に充填される合成樹脂材としては、例えば発泡ポリエチレンなどの軽量な合成樹脂製の充填材を用いることができる。
また、支柱は、壁面パネルを安定的に支持する剛性を備えるものであれば、強化プラスチックなどの合成樹脂材やコンクリートなどの鋼材以外の材料を用いて形成することができる。
【００１１】
また、本発明の可搬式堤防は、前記構成の支柱であって基礎の上面に形成された穴部に着脱自在に設けられた複数の支柱と、基礎上に立て並べた支柱の間で支持される壁面パネルとを具備した構成を有することを特徴とする。
かかる構成の可搬式堤防は、河川敷の堤防や都市部の建築物や地下の出入口に面した部分などを基礎とし、この基礎の上面に複数形成された穴部に支柱を差し込んで基礎上に支柱を立て並べ、支柱の側部に設けられた凹溝に壁面パネルの側端部を嵌め込んで、支柱の間に壁面パネルを取り付けることにより基礎上に止水壁を形成することができる。
【図面の簡単な説明】
【００１２】
【図１】本発明の一実施形態の可搬式堤防を基礎上に設置した状態の外観図である。
【図２】図１の可搬式堤防を構成する支柱とこれが差し込まれる穴部を構成する型枠の外観図である。
【図３】図２の支柱の正面図、側面図及び背面図である。
【図４】図３中のＡ−Ａ線端面図（Ａ），Ｂ−Ｂ線断面図（Ｂ）及びＣ−Ｃ線断面図（Ｃ）である。
【図５】図２の支柱の正面における下部領域の半面を破断した拡大図である。
【図６】図２の支柱を基礎に設けた穴部に差し込んで立てた状態を基礎と穴部のみを断面で示した図である。
【図７】図２の支柱の変形例であり、（Ａ）は支柱の全周に弾性材を固着した場合を示す断面図、（Ｂ）は合成樹脂材を小幅だけ皿状に充填した場合を示す支柱の株部領域の半面を破断した拡大図である。
【図８】本発明の他の実施形態の支柱を示す外観図である。
【図９】図８の支柱の構成部材を展開した状態の斜視図である。
【図１０】（Ａ）は図８の支柱の正面図、（Ｂ）と（Ｃ）は（Ａ）中のＡ−Ａ線断面図とＢ−Ｂ線断面図である。
【図１１】図８支柱を基礎に設けた穴部に差し込んで立てた状態の基礎と穴部を断面で示した図である。
【図１２】本発明の他の実施形態の支柱を示す（Ａ）は外観図、（Ｂ）は弾性材を固着する前の支柱及び弾性材の外観図である。
【図１３】図１２の支柱を基礎に設けた穴部に差し込んで立てた状態を示す断面図である。
【図１４】（Ａ）は本発明のさらに他の実施形態の支柱の外観図、（Ｂ）は支柱が差し込まれる穴部の平面図である。
【図１５】従来の可搬式堤防の概略外観図である。
【図１６】図１５の可搬式堤防における基礎に設けた穴部に支柱を差し込んで立てた状態の要部断面図である。
【発明を実施するための形態】
【００１３】
本発明の好適な実施の形態を、図面を参照して説明する。
図１は本発明の一実施形態の可搬式堤防を示している。
図示されるように、この可搬式堤防１は、河川敷などの平坦な基礎２上に設けられた穴部３に着脱自在に取り付けられる複数の支柱４と、支柱４，４の間で支持される複数の壁面パネル５を備えてなり、予め基礎２の上面に支柱４を支持するための穴部３を一定の間隔を開けて複数形成しておき、河川の越水が予想されるときに、支柱４を穴部３に差し込んで基礎２上に一列に立て並べ、支柱４の側部に設けられた凹溝４ａに壁面パネル５の側端部を嵌め込んで、支柱５，５の間に壁面パネル５を取り付けることにより、基礎２上に緊急用の止水壁を形成する構成のものである。
【００１４】
穴部３は、図２に示されるように、支柱３の下部が略一杯に嵌る大きさの開口部３１ａを上部に有する有底箱形の鋼製の型枠３１を、基礎２の上面と開口部３１ａの端面とが面一となるように基礎２内に埋め込んで形成されている。なお、平時に穴部３は、歩行者が穴部３に躓くなどの危険がないように、同図に示す蓋板３２が取り付けられて開口部３１ａが塞がれた状態となっている。
また、壁面パネル５は、高剛性且つ軽量な合成樹脂材などにより、支柱４，４の間に架け渡される横幅及びその側端部が支柱４の凹溝４ａに嵌合する厚みに形成された板材であり、その両側辺と下辺に沿って弾性を有する止水材５１が一体に固着して形成されている。
図１に示される可搬式堤防１は、壁面パネル５の運搬及び設置がし易いように壁面パネル５をその縦幅を小さく設定して形成し、支柱４，４の間に壁面パネル５を三段に重ねて設置することで支柱４と同高さの止水壁が形成されるように設けてあるが、図示されたものよりも壁面パネル５の縦幅を大きく設定し、支柱４，４の間に壁面パネル５を二段に重ねて設置し、或いは一枚の壁面パネル設置することにより、支柱４と同高さの止水壁が形成されるように設けてもよい。
【００１５】
図２は図１に示された本形態の支柱４の外観、図３は支柱４の正面、側面及び背面の各面をそれぞれ示しており、この支柱４は壁面パネル５の側端部が嵌合する凹溝４ａを左右両側に備えており、その下部領域を基礎２上に型枠３１を埋め込んで設けられた穴部３に差し込んで、基礎２上に直立するように形成されている。
【００１６】
詳しくは、支柱４は、断面略コ字形の一対の鋼製の枠材４１，４１を互いに長手方向を平行に揃えてそれぞれの背面側同士を接合し、且つ接合部分を溶接により一体に固定するとともに、支柱４の穴部３に差し込まれる下部領域であって両枠材４１，４１の下端部側の枠材内部の空隙に発泡ポリエチレンからなる充填材４２を充填して空隙を閉塞し、同じく支柱４の前記下部領域であって両枠材４１，４１の外面が連なる支柱４の正面側と背面側の外側面にＬ字アングル材からなる外方へ突出したストッパー片４３，４３を固着し、さらにストッパー片４３の下側に沿った支柱４の左右側面と背面側の外側面に、適宜な幅及び厚みの弾性ゴムからなる弾性材４４を帯状に一体に固着して形成してある。
【００１７】
図５及び図６に示されるように、支柱４の外面に設けたストッパー片４３，４３は、支柱４を穴部３に差し込んだときに、穴部３の周辺の基礎２の上面に係合してストッパー片４３，４３よりも下側の支柱４の下部領域を穴部３内に没入させるように設けられており、充填材４２は、前記ストッパー片４３，４３の係合により穴部３に没入する支柱４の下部領域の長さ分だけ、つまり両枠材４１，４１の下端部からストッパー片４３の取り付け位置に至る高さまで充填してある。
また、弾性材４４はストッパー片４３の直下から下方へ適宜な幅だけ支柱４の外面に重ねて固着されており、図６に示されるように、支柱４を穴部３に差し込んだ状態で、弾性材４４が穴部３の上端に面して穴部３の内面に圧接し、これにより穴部３の内面と支柱３の表面との隙間が塞がれるように設けてある。
【００１８】
前記支柱４は、河川の越水により可搬式堤防１に計画規模の水圧が作用した際に、壁面パネル５を凹溝４ａから脱落させずに安定的に支持可能な剛性が付与される外形寸法に設けられ、また、穴部３は、その開口部３１ａに支柱４を容易に差し込むことが可能な内形寸法及び計画規模の水圧が壁面パネル５の表面に垂直方向に作用しても支柱４が倒れない程度の深さに設けられる。
例えば厚み２．３ｍｍの鋼製枠材４１，４１を一体に接合して横幅（Ｗ）９０ｍｍ，奥行き（Ｄ）７５ｍｍの外形寸法に支柱４を設けた場合（図４（Ａ）参照）、穴部３の開口部３１ａの内寸を９５ｍｍ×８０ｍｍ程度に設ければ支柱４の差し込み操作を容易且つ確実に行え、また、穴部３の深さを２５０ｍｍ程度として支柱４が穴部３内に２００ｍｍ程度没入する深さに設ければ、壁面パネル５に水圧が作用しても支柱４が倒れる虞はない。そして、図４（Ｃ）に示されるように、前記外形寸法の支柱４の少なくとも左右側面と背面とに、厚み５ｍｍ程度の帯状の弾性材４４を固着しておけば、支柱４を穴部３に差し込んだときに弾性材４４が穴部３の上端内面に圧接して、穴部３と支柱４との隙間が確実に塞がれることとなる。
【００１９】
このように構成された本形態の支柱４によれば、支柱４を穴部３に差し込んで支柱４の下部領域を穴部３に嵌合させることにより、基礎２上に支柱４を直立させることができる。
支柱４と穴部３は、支柱４を穴部３に差し込んだときに支柱４の周囲に穴部３の内面との間で適度な隙間ができる程度の大きさに形成してあるので、穴部３に支柱４を差し込む操作が容易であり、可搬式堤防１を簡易な作業で迅速に設置することが可能である。
また、図６に示されるように、支柱４を穴部３に差し込んだ状態で、支柱４の下部領域の外面に固着させた弾性材４４が、自身の弾性により支柱４の表面と穴部３の上端内面との間に収縮して圧入し、支柱４の外面と穴部３の内面とに密着するため、穴部３の上端における穴部３と支柱４との間の隙間Ｃは弾性材４４により完全に塞がれる。従って、可搬式堤防１を基礎２上に設置したときに、河川から越水した水が、穴部３と支柱４との隙間Ｃを通って堤防の周囲に漏れ出るようなことはない。
また、穴部３内に没入した支柱４の下部領域の内部は、充填材４２を充填して枠材４１，４１内の空隙を閉塞してあるので、穴部３に浸入した水が支柱４の内部を通って漏れ出るようなこともない。
【００２０】
なお、支柱４と穴部３の形成寸法に応じて、図７（Ａ）に示されるように、支柱４の四側面全周に帯状の弾性材４４を固着して、穴部３と支柱４との間の隙間Ｃが塞がれるようにしてもよい。
また、同図（Ｂ）に示されるように、支柱４が穴部３に差し込まれた状態で基礎２の上面に面する位置から下側の枠材４１，４１の内側部分に、下方へ向けて小幅だけ皿状に充填材４２を充填しても、穴部３に浸入した水が支柱４の内部を通って漏れ出ることを防ぐことができる。
【００２１】
図８は本発明の他の実施形態の支柱４の外観を示しており、この支柱４はその周側部に、周方向に沿って略９０度の角度を開けて凹溝４ａ，４ａが設けられており、可搬式堤防１のコーナー部に設置されて前記両凹溝４ａ，４ａに壁面パネル５の側端部をそれぞれ嵌合させることにより、支柱４に壁面パネル５，５を交差状に支持させて取り付けられるように構成されたものである。
【００２２】
詳しくは、図９に示されるように、支柱４は、いずれも断面略コ字形の鋼製枠材であって、穴部３に差し込まれる分の長さを有する枠材４１Ａと、壁面パネル５の高さ寸法と略同じ長さ有する枠材４１Ｂと、両枠材４１Ａ，４１Ｂを合せた長さを有する枠材４１Ｃとの長さの異なる三つの枠材からなり、枠材４１Ａと枠材４１Ｃを互いに下端部を揃え且つ背面側同士を接合して溶接により一体に固定するとともに、枠材４１Ａ上に載せた枠材４１Ｂを、その側端面を枠材４１Ｃの背面に接合し、接合部を溶接により一体に固定して形成してある。
同図に示されるように、枠材４１Ａの上端には鋼製の仕切り板４５が被せられ、且つ溶接により一体に固定されて上端開口が閉鎖されており、枠材４１Ｂは仕切り板４５の上面に設置してある。また、枠材４１Ｃの、穴部３に差し込まれる側の端部には、枠材４１Ｃ内部の空隙を上下に仕切る形状の鋼製の仕切り板４５が水平に位置を合わせて当該枠材内面に接合し、接合部分を溶接により一体に固定してある。両枠材４１Ａ，４１Ｃに固定された仕切り板４５，４５の固定位置は、支柱４が穴部３に差し込まれた状態で基礎２の上面に面する位置に合せてある。
また、図１０に示されるように、支柱４の枠材４１Ｃの正面側と背面側の外側面にＬ字アングル材からなる外方へ突出したストッパー片４３，４３が固着し、ストッパー片４３の下側に沿った支柱４の外周面全体に帯状の弾性材４４を一体に固着してある。ストッパー片４３，４３は、その外方へ突出し部分が前記仕切り板４５の固定位置と水平方向に沿って同じ面となるように位置を合せて取り付けてある。
【００２３】
このように構成された本形態の支柱４は、基礎２上に形成された前記形態と同形の穴部３に差し込んでその下部領域を穴部３に嵌合させることにより、基礎２上に直立させることができる。
図１１に示されるように、支柱４を穴部３に差し込んだ状態で、支柱４の下部領域の外周面全体に固着させた弾性材４４が穴部３の上端内面と支柱４との間に圧入し、穴部３の上端における穴部３と支柱４との間の隙間Ｃは弾性材４４により完全に塞がれるため、可搬式堤防１を基礎２上に設置したときに、河川から越水した水が、穴部３と支柱４との隙間Ｃを通って堤防の周囲に漏れ出るようなことはない。
また、穴部３に差し込まれた支柱４の基礎２の上面に面する位置に、枠材４１Ｃの内部の空隙を上下に隔てる仕切り板４５を固定し、枠材４１Ａの上端開口も仕切り板４５で塞いであるので、穴部３に浸入した水が両枠材４１Ａ，４１Ｃの内部の空隙を通って漏れ出るようなことはない。
【００２４】
図１２（Ａ）は本発明のさらに他の実施形態の支柱４の外観を示しており、この支柱４は可搬式堤防１の側端部に設置されて一方の側部でのみ壁面パネル５を支持する構成のものであり、同図（Ｂ）に示されるように、鋼製角材の一側の側面を凹ませて壁面パネル５の側端部が嵌合する凹溝４ａを形成し、この凹溝４ａの下端縁に沿った支柱４の下部領域の外周面全体に、適宜な幅及び厚みの弾性材４４を巻き付けて一体に固着したものである。
このような支柱４が差し込まれる穴部３は、支柱４を差し込んだときに支柱４の周囲に穴部３の内面との間に適度な隙間ができる程度の大きさに形成され、図１３に示されるように、支柱４を穴部３に差し込んだ状態で、支柱４の外周面に固着させた弾性材４４が、穴部３の上端内面と支柱４との間に圧入して支柱４の外周面と穴部３の内面とに密着し、穴部３の上端における穴部３と支柱４との間の隙間Ｃを完全に塞いで、可搬式堤防１を基礎２上に設置したときの水漏れを防止することができる。
【００２５】
図１４（Ａ）は本発明のまたさらに他の実施形態の支柱４の外観を示している。
これは支柱４が、図２に示されたものと同様に、断面略コ字形の一対の鋼製の枠材４１，４１を互いに長手方向を平行に揃えてそれぞれの背面側同士を接合し、且つ接合部分を溶接により一体に固定して形成され、これが差し込まれる穴部３の開口部３１ａが、同図（Ｂ）に示されるように、支柱４の断面形状に略沿った形状に形成されたものである場合に、支柱４を穴部３に差し込んだ状態で、穴部３の内面と支柱４の外周面との間の隙間を塞ぐべく、支柱４の穴部３に差し込まれる下部領域であって穴部３の上端内面が面する支柱４の表面部分に沿って、適宜な幅及び厚みを有する帯状の弾性材４４を巻き付けて一体に固着したものである。
【００２６】
なお、図示した可搬式堤防１、支柱４及び壁面パネル５の形態は一例であり、本発明はこれに限定されず、他の適宜な形態で構成することが可能である。前記各実施形態を組み合わせた構成としてもよい。
【符号の説明】
【００２７】
１  可搬式堤防、２  基礎、３  穴部、４  支柱、４１  枠材、４２  充填材、４３  ストッパー片、４４  弾性材、４５  仕切り板
【要約】      （修正有）【課題】基礎に可搬式堤防を設置するにあたり、基礎に設けた穴部に支柱を簡易な操作で直立させるとともに、穴部に支柱を差し込んだ部分の止水性を高めてこの部分からの漏水を確実に防止する支柱構造を提供する。【解決手段】基礎２の上面の穴部に支柱４を差し込んで支柱を立て並べ、支柱４，４の間に壁面パネルを取り付けて止水壁を形成する可搬式堤防において、穴部に差し込まれる支柱４の下部領域であって支柱４が穴部に差し込まれた状態で穴部の上端に面する支柱４の表面に沿って帯状の弾性材４４を固着し、弾性材４４で穴部と支柱４との隙間Ｃを塞ぐ。【選択図】図６【図１】
0005514943.tif 000002
【図２】
0005514943.tif 000003
【図３】
0005514943.tif 000004
【図４】
0005514943.tif 000005
【図５】
0005514943.tif 000006
【図６】
0005514943.tif 000007
【図７】
0005514943.tif 000008
【図８】
0005514943.tif 000009
【図９】
0005514943.tif 000010
【図１０】
0005514943.tif 000011
【図１１】
0005514943.tif 000012
【図１２】
0005514943.tif 000013
【図１３】
0005514943.tif 000014
【図１４】
0005514943.tif 000015
【図１５】
0005514943.tif 000016
【図１６】
0005514943.tif 000017